(57)【要約】【課題】  カードリーダ等の端末に対する電源線の配線工事を不要として大幅なコストの低減を図ることができる入退管理システムを提供する。【解決手段】  ＩＣカードリーダ端末１５ａ〜１５ｎは管理対象の部屋の内側又は外側に設けられており、その部屋の扉には電気錠１６ａ〜１６ｎが取り付けられている。電気錠１６ａ〜１６ｎは１対１でＩＣカードリーダ端末１５ａ〜１５ｎにそれぞれ接続されており、ＩＣカードリーダ端末１５ａ〜１５ｎはネットワークＮ２に接続されている。ネットワークＮ２は、センターサーバ１０とＩＣカードリーダ端末１５ａ〜１５ｎ等との間で授受される信号を伝送するとともに、スイッチングハブ１４ａからの電源をＩＣカードリーダ端末１５ａ〜１５ｎに供給する。ＩＣカードリーダ端末１５ａ〜１５ｎに供給された電源は、接続線１９ａ〜１９ｎを介して電気錠１６ａ〜１６ｎにもそれぞれ供給される。【選択図】  図１
2006185192.tif 000002
【特許請求の範囲】
【請求項１】
入退者に関する情報を読み取って認証を行う認証端末と、当該認証端末の認証結果に基づいて入退口の開閉状態を制御する制御装置と、前記認証に必要な情報を予め前記認証端末に送信するとともに前記認証端末で読み取られた情報を履歴として保持する認証マスター装置とを備える入退管理システムにおいて、
前記認証端末に接続され、前記認証マスター装置と前記認証端末との間で授受される情報を伝送するとともに、前記認証端末に対して電源を供給する第１伝送供給線を備えることを特徴とする入退管理システム。
【請求項２】
前記第１伝送供給線は、複数の前記認証端末を接続する接続線であることを特徴とする請求項１記載の入退管理システム。
【請求項３】
前記第１伝送供給線は、前記認証マスター装置と前記認証端末との間で授受される情報を伝送する第１接続線と、
前記認証端末に電源を供給する第２接続線と
を備えることを特徴とする請求項１又は請求項２記載の入退管理システム。
【請求項４】
前記第１伝送供給線に接続されて、前記認証マスター装置と前記認証端末との間で授受される情報を中継するとともに、前記第１伝送供給線に電源を供給する中継装置を備えることを特徴とする請求項１から請求項３の何れか一項に記載の入退管理システム。
【請求項５】
前記制御装置と前記認証端末とを１対１で接続し、前記認証端末からの信号を前記制御装置に伝送するとともに、前記認証端末に供給される電源の少なくとも一部を前記制御装置に供給する第２伝送供給線を備えることを特徴とする請求項１から請求項４の何れか一項に記載の入退管理システム。
【請求項６】
周囲状況の変化を感知する感知端末と、
前記感知端末と前記認証端末とを１対１で接続し、前記感知端末の感知結果を示す情報を前記認証端末に伝送するとともに、前記認証端末に供給される電源の少なくとも一部を前記感知端末に供給する第３伝送供給線を備えることを特徴とする請求項１から請求項５の何れか一項に記載の入退管理システム。
【請求項７】
前記第１伝送供給線は、前記第３伝送供給線を介して前記感知端末から前記認証端末へ伝送された前記情報を、前記認証マスター装置に向けて伝送することを特徴とする請求項６記載の入退管理システム。
【請求項８】
前記認証端末は、入退者が所持するカードに記録された情報を読み取るカードリーダであることを特徴とする請求項１から請求項７の何れか一項に記載の入退管理システム。
【請求項９】
前記カードリーダは、異なる種類のカードの各々に記録された情報の読み取りが可能であり、且つ当該情報の認証が可能であることを特徴とする請求項８記載の入退管理システム。
【請求項１０】
前記認証マスター装置を複数備えて種類の異なる複数の入退管理システムが構築されており、
前記カードリーダは、前記異なる種類又は同種のカードから読み取った情報を、当該カードリーダに対応する認証マスターに送信することを特徴とする請求項９記載の入退管理システム。
【発明の詳細な説明】
【技術分野】
【０００１】
本発明は、特定の領域又は部屋への人員の入退場又は入退室を管理する入退管理システムに関する。
【背景技術】
【０００２】
従来の入退管理システムは、磁気カード、ＩＣカード等を用いた認証により人員の特定の領域又は部屋への入退場又は入退室を管理している。例えば、特定の部屋への人員の入退室を管理する入退管理システムは、その部屋の扉の側にカードリーダを設けるとともに、その扉に開閉を制御する電気錠を取り付け、カードがカードリーダに挿入された場合に、カードに記録された情報に基づいて認証を行い、入退室可と認証された場合にのみ電気錠を制御してその扉を開状態にすることで入退室の管理を行っている。また、近年においては、非接触ＩＣカードと非接触カードリーダとを用いてカードをカードリーダに挿入せずとも非接触ＩＣカードに記録された情報を読み取って認証を行う入退管理システムも案出されている。
【０００３】
以下の非特許文献１，２には、複数のカードリーダをネットワークを介して接続するとともに、このネットワークに認証装置を接続して入退室管理を集中して行う入退管理システムが開示されている。また、以下の非特許文献３には、カードリーダ以外に管理対象の部屋の内部に防犯センサを設け、これらから得られる情報に基づいてその部屋の状態を監視センターで集中監視することにより、セキュリティーの向上を図った入退管理システムが開示されている。
【非特許文献１】インターネット＜ＵＲＬ：http://www.necinfrontia.co.jp/solution/secure/specification.htm＞
【非特許文献２】インターネット＜ＵＲＬ：http://www.cec-ltd.co.jp/deji/sesame04/index.html＞
【非特許文献３】インターネット＜ＵＲＬ：http://www.mew.co.jp/Ebox/security/e-sg/user.html#anc1＞
【発明の開示】
【発明が解決しようとする課題】
【０００４】
ところで、上述した従来の入退管理システムにおいては、カードリーダで読み取られた情報を認証マスター装置に送信するために、認証マスター装置とカードリーダとは信号線により接続される。また、認証マスター装置の認証結果により電気錠を制御する制御信号を電気錠に送信するために、認証マスター装置と電気錠とは信号線により接続される。これらの信号線以外に、従来は、カードリーダ及び電気錠の各々に対して電源を供給するための電源線がそれぞれ必要になる。これは、上述した非特許文献１に開示されたネットワーク構成の入退管理システムにおいても同様である。
【０００５】
このため、例えば上記の非特許文献１に開示された入退管理システムを導入しようとした場合には、信号線の敷設工事以外に電源線の配線工事が必要になるため、配線工事が複雑化して手間がかかるとともに、電源線配線工事の費用が必要になる。電源線配線工事は、建物の壁に穴をあけたり、床又は天井の中に電源線を引き回す作業が必要になることが多いため、導入コストが高くなるという問題があった。また、既に敷設してある入退管理システムに対してカードリーダ及び電気錠を増設する場合にもカードリーダ及び電気錠に対する電源線の配線工事が必要になるため、同様に電源線の配線工事の分だけコストが高くなるという問題があった。
【０００６】
本発明は上記事情に鑑みてなされたものであり、カードリーダ等の端末に対する電源線の配線工事を不要として大幅なコストの低減を図ることができる入退管理システムを提供することを目的とする。
【課題を解決するための手段】
【０００７】
上記課題を解決するために、本発明の入退管理システムは、入退者に関する情報を読み取って認証を行う認証端末（１５ａ〜１５ｎ、１７）と、当該認証端末の認証結果に基づいて入退口の開閉状態を制御する制御装置（１６ａ〜１６ｎ、１７）と、前記認証に必要な情報を予め前記認証端末に送信するとともに前記認証端末で読み取られた情報を履歴として保持する認証マスター装置（１０）とを備える入退管理システムにおいて、前記認証端末に接続され、前記認証マスター装置と前記認証端末との間で授受される情報を伝送するとともに、前記認証端末に対して電源を供給する第１伝送供給線（Ｎ２）を備えることを特徴としている。
この発明によると、第１伝送供給線を介して認証端末に電源が供給されるとともに、第１伝送供給線を介して認証マスター装置と認証端末との間で授受される情報が伝送される。
ここで、本発明の入退管理システムは、前記第１伝送供給線が、複数の前記認証端末を接続する接続線であることを特徴としている。
また、本発明の入退管理システムは、前記第１伝送供給線が、前記認証マスター装置と前記認証端末との間で授受される情報を伝送する第１接続線と、前記認証端末に電源を供給する第２接続線とを備えることを特徴としている。
また、本発明の入退管理システムは、前記第１伝送供給線に接続されて、前記認証マスター装置と前記認証端末との間で授受される情報を中継するとともに、前記第１伝送供給線に電源を供給する中継装置（１４ａ、１４ｂ）を備えることを特徴としている。
また、本発明の入退管理システムは、前記制御装置と前記認証端末とを１対１で接続し、前記認証端末からの信号を前記制御装置に伝送するとともに、前記認証端末に供給される電源の少なくとも一部を前記制御装置に供給する第２伝送供給線（１９ａ〜１９ｎ）を備えることを特徴とする請求項１から請求項４の何れか一項に記載の入退管理システム。
また、本発明の入退管理システムは、周囲状況の変化を感知する感知端末（１８）と、前記感知端末と前記認証端末とを１対１で接続し、前記感知端末の感知結果を示す情報を前記認証端末に伝送するとともに、前記認証端末に供給される電源の少なくとも一部を前記感知端末に供給する第３伝送供給線（２０）を備えることを特徴としている。
ここで、前記第１伝送供給線は、前記第３伝送供給線を介して前記感知端末から前記認証端末へ伝送された前記情報を、前記認証マスター装置に向けて伝送することを特徴としている。
また、本発明の入退管理システムは、前記認証端末が、入退者が所持するカードに記録された情報を読み取るカードリーダであることを特徴としている。
ここで、前記カードリーダは、異なる種類のカードの各々に記録された情報の読み取りが可能であり、且つ当該情報の認証が可能であることを特徴としている。
また、本発明の入退管理システムは、前記認証マスター装置を複数備えて種類の異なる複数の入退管理システムが構築されており、前記カードリーダは、前記異なる種類又は同種のカードから読み取った情報を、当該カードリーダに対応する認証マスターに送信することを特徴としている。
【発明の効果】
【０００８】
本発明によれば、情報の伝送と電源の供給とを行うことができる第１伝送供給線が敷設されており、この第１伝送供給線に認証端末が接続されているため、第１伝送供給線の敷設工事以外に電源線の敷設工事が不要になり、入退管理システムの導入コストを大幅に低減することができるという効果がある。また、例えば認証端末等を増設する場合にも、第１伝送供給線の追加工事又は延長工事のみを行えば良く、増設される認証端末等へ電源を供給する電源線の配線工事を行う必要がないため、増設時のコストを大幅に削減することができるという効果がある。
【発明を実施するための最良の形態】
【０００９】
以下、図面を参照して本発明の一実施形態による入退管理システムについて詳細に説明する。図１は、本発明の一実施形態による入退管理システムの全体構成を示す図である。尚、以下の説明では非接触ＩＣカードを用いて人員の入退を管理する入退管理システムに本発明を適用した場合を例に挙げて説明する。図１に示す通り、本実施形態の入退管理システムは、センターサーバ１０、管理ＰＣ１１、ＩＣカード発行機１２、及びルータ１３と、スイッチングハブ１４ａ，１４ｂと、ＩＣカードリーダ端末１５ａ〜１５ｎ、電気錠１６ａ〜１６ｎ及びセキュリティーゲート１７、並びにパッシブセンサ１８とを含んで構成される。
【００１０】
上記のセンターサーバ１０、管理ＰＣ１１、ＩＣカード発行機１２、及びルータ１３は、人員の入退を集中して管理する中央管理室に配置されている。中央管理室内にはネットワークＮ１が敷設されており、各機器はネットワークＮ１に接続されている。また、上記のＩＣカードリーダ端末１５ａ〜１５ｎ、電気錠１６ａ〜１６ｎ、セキュリティーゲート１７、及びパッシブセンサ１８は、入退を管理する部屋の内外又は入退場を管理する領域の出入口近傍に配置されている。
【００１１】
ＩＣカードリーダ端末１５ａ〜１５ｎはネットワークＮ２に接続されており、セキュリティーゲート１７はネットワークＮ３に接続されている。尚、図１においては、セキュリティーゲート１７を１つのみ図示しているが複数設けても良い。複数のセキュリティーゲート１７を備える場合には、各々がネットワークＮ３に接続される。上記のネットワークＮ１とネットワークＮ２とはスイッチングハブ１４ａを介して接続されており、ネットワークＮ１とネットワークＮ３とはスイッチングハブ１４ｂを介して接続されている。
【００１２】
また、本実施形態の入退管理システムは、火報設備２１、ＩＴＶ設備２２、及びＥＬＶ設備２３等の他のシステムと連携する構成となっている。ここで、火報設備２１とは、火災発生時に電気錠のロックを解除して扉を開状態とする緊急設備をいい、ＩＴＶ設備２２とは監視カメラを用いた遠隔監視設備をいい、ＥＬＶ設備とはエレベータの制御設備をいう。これらの各設備はネットワークＮ４に接続されており、ルータ１３を介してネットワークＮ１と接続されている。これらの各設備と連携することにより、例えばセキュリティーゲート１７を通過する入退者を撮影し、又はパッシブセンサ１８によって侵入者が検出された場合には、エレベータを停止させる等の処置を施すことが可能になる。
【００１３】
センターサーバ１０は、ＩＣカード発行機１２で発行されたＩＣカードに関する情報を蓄積した認証マスター情報が記録されたセキュリティデータベース１０ａを備えている。センターサーバ１０は、この認証マスター情報を予めＩＣカードリーダ端末１５ａ〜１５ｎに送信するとともに、ＩＣカードリーダ端末１５ａ〜１５ｎで読み取られた情報を履歴として保持する。尚、認証マスター情報は、更新される度にＩＣカードリーダ端末１５ａ〜１５ｎへ送信される。また、詳細は後述するが、セキュリティーゲート１７にも不図示のＩＣカードリーダ端末が設けられているため、センターサーバ１０からセキュリティーゲート１７に認証マスター情報が送信されるとともに、セキュリティーゲート１７のＩＣカードリーダ端末で読み取られた情報がセンターサーバ１０に送信される。
【００１４】
管理ＰＣ１１は、ネットワークＮ１を介してセンターサーバ１０と各種信号の授受を行って管理対象の部屋等の状況を表示するとともに、オペレータの操作指示に基づいて電気錠１６ａ〜１６ｎ又はセキュリティーゲート１７を制御する信号をネットワークＮ１に送出する。また、オペレータの操作指示に基づいてＩＣカードに記録する情報を、ＩＣカード発行機１２に出力するとともにネットワークＮ１を介してセンターサーバ１０に送信する。
【００１５】
ＩＣカード発行機１２は、管理ＰＣ１１から出力される情報をＩＣカードに記録して新規のＩＣカードを発行し、又は既に記録されている情報を更新する。ここで、ＩＣカード発行機１２は、種類の異なる複数のＩＣカードに情報を記録することが可能である。例えば、本出願の出願時点において普及されている非接触ＩＣカードの主なものには、ＩＳＯ／ＩＥＣ１４４４３−１〜３  ＴｙｐｅＡ準拠のＭｉｆａｒｅ（登録商標）、ＴｙｐｅＢ準拠のＸａｉｃａ（登録商標）、ＴｙｐｅＣ準拠のＦｅｌｉｃａ（登録商標）等があるが、これらの何れに対しても情報の記録が可能である。
【００１６】
スイッチングハブ１４ａは、前述した通りネットワークＮ１とネットワークＮ２とを接続するものであり、センターサーバ１０及び管理ＰＣ１１と、ＩＣカードリーダ端末１５ａ〜１５ｎ、電気錠１６ａ〜１６ｎ、及びパッシブセンサ１８との間で授受される各種情報を中継する。同様に、スイッチングハブ１４ｂは、ネットワークＮ１とネットワークＮ３とを接続するものであり、センターサーバ１０及び管理ＰＣ１１とセキュリティーゲート１７との間で授受される各種情報を中継する。
【００１７】
また、スイッチングハブ１４ａ，１４ｂは電源に接続されており、この電源をネットワークＮ２，Ｎ３にそれぞれ供給する。前述した通り、ネットワークＮ２にはＩＣカードリーダ端末１５ａ〜１５ｎが接続されており、スイッチングハブ１４ａからネットワークＮ２に供給される電源は、ＩＣカードリーダ端末１５ａ〜１５ｎに供給されることになる。同様に、ネットワークＮ３にはセキュリティーゲート１７が接続されており、スイッチングハブ１４ｂからネットワークＮ３に供給される電源は、セキュリティーゲート１７に設けられた不図示のＩＣカードリーダ端末に供給されることになる。このように、本実施形態では、ネットワークＮ２，Ｎ３は、接続されている機器からの情報又は機器への情報を伝送するとともに、接続されている機器に電源を供給するために用いられている。
【００１８】
上記のセキュリティーゲート１７は、例えば入退場を管理する領域の出入口近傍に配置されている。このセキュリティーゲート１７には、不図示の開閉扉が設けられており、この開閉扉が開状態又は閉状態となることにより、その出入口を通過する入退者の進行を制限する。また、図示は省略しているが、入退者が所持するＩＣカードに記録されている情報を読み取るＩＣカードリーダ端末も設けられている。このＩＣカードリーダ端末は、読み取った情報を基に認証を行い、この認証結果に基づいてセキュリティーゲート１７に設けられた開閉扉の開閉状態を制御する。尚、セキュリティーゲート１７に設けられる不図示のＩＣカードリーダ端末にもセンターサーバ１０から認証マスター情報が送信される。
【００１９】
ＩＣカードリーダ端末１５ａ〜１５ｎは、例えば管理対象の部屋の内側及び外側であって、その部屋に設けられる扉の近傍に設置される。これらＩＣカードリーダ端末１５ａ〜１５ｎは、ＩＣカードリーダ端末１５ａ〜１５ｎ近傍の数センチメートル〜数十センチメートル内にＩＣカードが存在する場合に、そのＩＣカードと無線により通信を行ってＩＣカードに記録されている情報を読み取り、読み取った情報をネットワークＮ２に送出する。尚、これらのＩＣカードリーダ端末１５ａ〜１５ｎは、上述した種類の異なるＩＣカードの何れに記録された情報をも読み取ることが可能な端末である。
【００２０】
かかるＩＣカードリーダ端末１５ａ〜１５ｎを備えることにより、例えばテナント等の複数の企業が入居されるビル内の管理を行う場合に、テナント毎に使用する非接触ＩＣカードの種類が異なっていても入退の管理を行うことができる。この構成の場合には、ＩＣカードの種類に応じて種類の異なる複数のセンターサーバ１０を備えることにより複数の入退管理システムが構築される。ＩＣカードリーダ端末１５ａ〜１５ｎで読み取られた情報は、その種類（ＩＣカードの種類）に応じて対応する種類のセンターサーバに送信される。尚、複数の入退管理システムの構築は、物理的に異なるセンターサーバ１０を複数設けることで実現しても良く、又は物理的なセンターサーバ１０は１つであるがソフトウェアにより論理的な複数のセンターサーバ１０を設けることで実現しても良い。
【００２１】
また、ＩＣカードリーダ端末１５ａ〜１５ｎには接続線１９ａ〜１９ｎを介して電気錠１６ａ〜１６ｎが１対１で接続されている。電気錠１６ａ〜１６ｎは、管理対象の部屋に設けられる扉に取り付けられており、対応するＩＣカードリーダ端末１５ａ〜１５ｎからの制御信号に基づいてその扉を閉状態（ロックされている状態）又は開状態（ロックが解除された状態）にする。接続線１９ａ〜１９ｎは、ＩＣカードリーダ端末１５ａ〜１５ｎから電気錠１６ａ〜１６ｎへの制御信号をそれぞれ伝送するとともに、電気錠１６ａ〜１６ｎからＩＣカードリーダ端末１５ａ〜１５ｎへ扉の開閉状態を示す信号をそれぞれ伝送する。また、ＩＣカードリーダ端末１５ａ〜１５ｎに供給される電源の少なくとも一部を電気錠１６ａ〜１６ｎにそれぞれ供給する。このように接続線１９ａ〜１９ｎも接続されている機器への情報を伝送するとともに、接続されている機器に電源を供給するために用いられている。
【００２２】
更に、ＩＣカードリーダ端末１５ｂには接続線２０を介してパッシブセンサ１８が接続されている。このパッシブセンサ１８は、赤外線を発して温度差を検出し、人の出入りを検出するセンサであり、例えば監視している部屋内への侵入者の有無を検出するために用いられる。接続線２０は、パッシブセンサ１８の検出信号をＩＣカードリーダ端末１５ｂに伝送するとともに、ＩＣカードリーダ端末１５ｂに供給される電源の少なくとも一部をパッシブセンサ１８に供給する。このように接続線２０も接続されている機器からの情報を伝送するとともに、接続されている機器に電源を供給するために用いられている。
【００２３】
ここで、情報の伝送及び電源の供給を行うネットワークＮ２を構成するために用いられる伝送供給線の具体的構成について説明する。図２は、ネットワークＮ２を構成するために用いられている伝送供給線を説明する斜視図である。図２に示す例では、伝送供給線３０が４対のＵＴＰケーブル（Unshelded Twisted Pair cable：シールドされていないツイスト・ペア線ケーブル）３１により実現されており、その端部にはＲＪ−４５コネクタ等のコネクタ３２が設けられている。尚、例えばカテゴリ５又はカテゴリ６のＵＴＰケーブルをＵＴＰケーブル３１として用いることができる。伝送供給線として一般的に市販されているＵＴＰケーブルをそのまま使用することができるため大幅なコスト低減を図ることができる。
【００２４】
上記のコネクタ３２がスイッチングハブ１４ａに設けられた不図示のポートに挿入され、ＵＴＰケーブル３１の他端に設けられた不図示のコネクタがＩＣカードリーダ端末１５ａに設けられた不図示のポートに挿入されることにより、スイッチングハブ１４ａとＩＣカードリーダ端末１５ａとが接続される。尚、ここでは、図２に示す伝送供給線３０によってスイッチングハブ１４ａとＩＣカードリーダ端末１５ａとを接続する場合を例に挙げて説明するが、スイッチングハブ１４ａと他のＩＣカードリーダ端末１５ｂ〜１５ｎを接続する場合にも伝送供給線３０と同様のものを用いて接続することができる。また、伝送供給線３０は、ネットワークＮ３を構成するために用いることもでき、接続線１９ａ〜１９ｎ及び接続線２０として用いることもできる。
【００２５】
ＵＴＰケーブル３１の４対の芯線（８本の芯線）は、コネクタ３２に設けられたピンＰ１〜Ｐ８の各々と電気的に接続されており、ピンＰ１，Ｐ２に接続される１対の芯線（２本の芯線）及びピンＰ３，Ｐ６に接続される１対の芯線（２本の芯線）は、認証マスター装置１０からＩＣカードリーダ端末１５ａ〜１５ｎへの認証マスター情報、又はＩＣカードリーダ端末１５ａ〜１５ｎで読み取られた情報等の各種情報又は各種信号を伝送するために用いられる（第１接続線）。
【００２６】
他方、ピンＰ４，Ｐ５に接続される１対の芯線（２本の芯線）及びピンＰ７，Ｐ８に接続される１対の芯線（２本の芯線）は、ＩＣカードリーダ端末１５ａに電源を供給するために用いられる（第２接続線）。電源供給のために２対の芯線を用いるのは電気的抵抗を極力低減するためである。以上の構成の伝送供給線３０により、例えば電圧２４Ｖ、電流６００ｍＡの電源を供給することが可能になる。尚、電圧を２４Ｖとするのは、例えばＩＣカードリーダ端末１５ａ〜１５ｎ、電気錠１６ａ〜１６ｎ等の機器の動作に必要な電圧だからである。このように、本実施形態では、電気錠１６ａ〜１６ｎ等の機器の動作に必要な電圧を伝送供給線３０を介して供給しており、電圧を変更する電気回路が不要であるためコストの上昇を招くことがなく、また電気を効率的に使用することができる。
【００２７】
上記構成の入退管理システムが稼働状態にある場合には、スイッチングハブ１４ａからネットワークＮ２を介してＩＣカードリーダ端末１５ａ〜１５ｎの各々に電源が供給される。また、ＩＣカードリーダ端末１５ａ〜１５ｎに供給される電源の少なくとも一部が、接続線１９ａ〜１９ｎを介してＩＣカードリーダ端末１５ａ〜１５ｎと１対１接続された電気錠１６ａ〜１６ｎに供給される。更に、ＩＣカードリーダ端末１５ｂに供給される電源の少なくとも一部が、接続線２０を介してＩＣカードリーダ端末１ｂに接続されたパッシブセンサ１８に供給される。同様に、スイッチングハブ１４ｂからネットワークＮ３を介してセキュリティーゲート１７に電源が供給される。以上の電源供給により、ＩＣカードリーダ端末１５ａ〜１５ｎ、電気錠１６ａ〜１６ｎ、セキュリティーゲート１７、及びパッシブセンサ１８が動作状態になっている。
【００２８】
いま仮に、非接触ＩＣカードの所持者がＩＣカードリーダ端末１５ａが設けられている部屋に入室しようとして、所持している非接触ＩＣカードをＩＣカードリーダ端末１５ａに接近させると、ＩＣカードリーダ端末１５ａは無線によりＩＣカードリーダ端末１５ａと通信を行ってＩＣカードリーダ端末１５ａに記録されている情報を読み取る。ＩＣカードリーダ端末１５ａは、読み取った情報をネットワークＮ２、スイッチングハブ１４ａ、及びネットワークＮ１を介してセンターサーバ１０に送信する。ＩＣカードリーダ端末１５ａからの情報を受信すると、センターサーバ１０はその情報をログ（履歴）として保持する。
【００２９】
また、ＩＣカードリーダ端末１５ａは、読み取った情報と予め記憶している認証マスター情報とに基づいて認証を行い、入退可と認証した場合にはＩＣカードリーダ端末１５ａに１対１で接続されている電気錠１６ａのロックを解除する制御信号を接続線１９ａを介して電気錠１６に出力する。電気錠１６にＩＣカードリーダ端末１５ａからの制御信号が入力されると、電気錠１６ａはロック状態を解除して扉を開状態とする。これにより、上記の非接触ＩＣの所持者は、開状態になった扉から部屋に入室することができる。尚、非接触ＩＣカードの所持者がセキュリティーゲート１７を通過する場合にも同様に、セキュリティーゲート１７に設けられた不図示のＩＣカードリーダ端末により非接触ＩＣカードの情報が読み取られて認証が行われ、セキュリティーゲート１７に設けられた不図示の開閉扉が制御される。
【００３０】
また、仮にパッシブセンサ１８が設けられている部屋への侵入者が居た場合には、パッシブセンサ１８でその侵入者が検出され、その検出信号が接続線２０、ＩＣカードリーダ端末１５ｂ、ネットワークＮ１、スイッチングハブ１４ａ、及びネットワークＮ１を介して管理ＰＣ１１に送信される。パッシブセンサ１８からの検出信号を受信すると、管理ＰＣ１１は、例えばパッシブセンサ１８が取り付けられている部屋の扉に設けられている電気錠１６ｂをロックする制御信号を送信するとともに、ルータ１３及びネットワークＮ４を介してＥＬＶ設備２３にエレベータを停止させる等の制御信号を送信する。
【００３１】
図３は、簡略化した入退管理システムの全体構成を示す図である。尚、図３においては、図１に示した構成に相当する構成には同一の符号を付してある。図３に示す入退管理システムは、図１中のセンターサーバ１０の機能と管理ＰＣ１１の機能とを兼ね備える管理ＰＣ４０を設けた点が大きく相違する。この管理ＰＣ４０には、ＩＣカードリーダ４１が接続されている。また、管理ＰＣ４０は、接続線４２を介してスイッチングハブ１４ａと接続されている。
【００３２】
スイッチングハブ１４ａは、接続線４２とネットワークＮ２とを接続しており、ネットワークＮ２には、複数のＩＣカードリーダ端末１５ａ〜１５ｎが接続されており、各々のＩＣカードリーダ端末１５ａ〜１５ｎには１対１で電気錠１６ａ〜１６ｎが接続されている。図３に示す構成とすることで、低コストで特定の部屋への入退を管理する入退管理システムを実現することができる。
【００３３】
以上説明した通り、本実施形態では、管理対象の部屋の内外等に配置されるＩＣカードリーダ端末１５ａ〜１５ｎ、電気錠１６ａ〜１６ｎ、セキュリティーゲート１７、及びパッシブセンサ１８等の各種機器を、情報又は信号の伝送と電源の供給とを行うことができる伝送供給線（ネットワークＮ２，Ｎ３、接続線１９ａ〜１９ｎ，２０）を用いて接続しているため、伝送供給線を敷設して各種機器を電送供給線に接続すれば伝送供給線から各種機器に電源が供給されるため、各種機器を動作させることができる。
【００３４】
このため、各種機器に電源を供給するための電源線の配線が不要になるため、入退管理システムの導入コストを大幅に低減することができる。また、例えばＩＣカードリーダ端末等を増設する場合にも、ネットワークＮ２の延長工事又は増設工事のみを行えば良く、増設されるＩＣカードリーダ端末へ電源を供給する電源線の配線工事を行う必要がないため、増設時のコストを大幅に削減することができる。
【００３５】
尚、上記実施形態においては、非接触ＩＣカードを用いた入退管理システムについて説明したが、本発明は接触式のＩＣカードを用いる入退管理システムにも適用することができる。また、ＩＣカードを用いずに入退者を特定する情報を読み取って入退を管理する入退管理システムにも本発明を適用することができる。この入退管理システムでは、上記のカードリーダに代えて、例えば入退者の指紋、虹彩、静脈等の入退者固有の情報を読み取る読み取り装置を備え、この読み取り装置によって読み取られた情報を用いて入退者の認証を行う。
【００３６】
また、上記実施形態ではパッシブセンサ１８を備える構成を例に挙げて説明したが、パッシブセンサ１８に代えて又はパッシブセンサ１８とともに、２箇所に取り付けた赤外線発生装置の間の赤外線を遮るものを検出するエリアセンサを備える場合にも本発明を適用することができる。更に、管理対象の部屋に窓が取り付けられている場合には、ガラス破壊センサを用いることもできる。
【００３７】
また、上記実施形態では、入退管理システムと火報設備２１、ＩＴＶ設備２２、及びＥＬＶ設備２３等の他のシステムとを連携した構成を例に挙げて説明したが、ＩＣカードリーダ端末１５ａ〜１５ｎから得られる入退ログを利用して出退勤を管理するシステムとの連携を図ることもできる。
【００３８】
更に、上記実施形態では、ＩＣカードリーダ端末１５ａ〜１５ｎが、読み取った情報と予め記憶してある認証マスター情報とに基づいて認証を行って電気錠１６ａ〜１６ｎを制御する場合を例に挙げて説明した。かかる構成とすることにより、機器が故障した場合の影響を最小限に止めることができる。また、ＩＣカードリーダ端末１５ｂにパッシブセンサ１８が接続されているため、ＩＣカードリーダ端末１５ｂがパッシブセンサ１８の検出結果に基づいて電気錠１６ｂを制御することも可能となる。
【００３９】
しかしながら、ＩＣカードリーダ端末１５ａ〜１５ｎが読み取った情報を全てネットワークＮ２及びスイッチングハブ１４ａを介してセンターサーバ１０に送信し、センターサーバ１０が認証を行って電気錠１６ａ〜１６ｎを制御する信号をスイッチングハブ１４ａ及びネットワークＮ２を介して電気錠１６ａ〜１６ｎに送信するようにしても良い。
【００４０】
更に、上記実施形態では、ＵＴＰケーブル３１を備える伝送供給線３０を用いてＩＣカードリーダ端末１５ａ〜１５ｎを接続する構成を例に挙げて説明したが、ＵＴＰケーブル以外のケーブルを用いることもできる。また、ネットワークＮ２に対するＩＣカードリーダ端末１５ａ〜１５ｎの接続形態は、バス型、スター型、メッシュ型、及びリング型等の何れであっても良い。
【図面の簡単な説明】
【００４１】
【図１】本発明の一実施形態による入退管理システムの全体構成を示す図である。
【図２】ネットワークＮ２を構成するために用いられている伝送供給線を説明する斜視図である。
【図３】簡略化した入退管理システムの全体構成を示す図である。
【符号の説明】
【００４２】
１０              センターサーバ（認証マスター装置）
１４ａ，１４ｂ    スイッチングハブ（中継装置）
１５ａ〜１５ｎ    ＩＣカードリーダ端末（認証端末）
１６ａ〜１６ｎ    電気錠（制御装置）
１７              セキュリティーゲート（認証端末、制御装置）
１８              パッシブセンサ（感知端末）
１９ａ〜１９ｎ    接続線（第２伝送供給線）
２０              接続線（第３伝送供給線）
Ｎ２，Ｎ３        ネットワーク（第１伝送供給線）
【図１】
2006185192.tif 000003
【図２】
2006185192.tif 000004
【図３】
2006185192.tif 000005